(57)【要約】【課題】現場で配置した各照明器具に対して、パソコン上で配置した各照明器具に対して暫定的に設定した制御アドレスを自動で設定する。【解決手段】直列に配置された複数の照明器具を制御する照明制御システムにおいて、各照明器具の識別情報を取得するステップ、各照明器具に特定の識別情報と順序情報を含む判定信号を送信するステップ、各照明器具から返信される判定信号に基づいて各照明器具の配置順序を把握するステップ、及び把握した配置順序に基づいて各照明器具の制御アドレスを設定するステップを含み、配置順序を把握するステップにおいて、各照明器具が受信した判定信号に含まれる特定の識別情報が、自身の識別情報と一致していないとき、順序情報の順序を１つ増やして、判定信号を次段の照明器具に送信し、自身の識別情報と一致しているとき、判定信号を制御部に返信する。【選択図】図５
2020191242.tif 000002
【特許請求の範囲】
【請求項１】
直列に配置された複数の照明器具を制御部で制御する照明制御システムにおいて、各照明器具の制御アドレスを設定する制御アドレス設定方法であって、
前記制御部が、前記各照明器具から、各照明器具の識別情報を取得するステップと、
前記制御部から、前記各照明器具に対して、取得した前記識別情報のうちの特定の識別情報と、順序情報とを含む判定信号を送信するステップと、
前記制御部が、前記各照明器具から返信される判定信号に基づいて、前記各照明器具の配置順序を把握するステップと、
前記制御部が、把握した前記配置順序に基づいて、前記各照明器具の制御アドレスを設定するステップと
を含み、
前記配置順序を把握するステップにおいて、
前記各照明器具が、受信した前記判定信号に含まれる前記特定の識別情報と、自身の識別情報とが一致していないと判定したとき、前記順序情報における順序を示す指標を１つ増やして、前記判定信号を、次段の前記照明器具に送信し、
前記各照明器具が、受信した前記判定信号に含まれる前記特定の識別情報と、自身の識別情報とが一致していると判定したとき、前記判定信号を前記制御部に返信する、制御アドレス設定方法。
【請求項２】
前記識別情報を取得するステップにおいて、前記照明器具のチャンネル数をさらに取得し、
前記制御アドレスを設定するステップにおいて、前記配置順序及び前記チャンネル数に基づいて、前記各照明器具の制御アドレスが設定される、請求項１に記載の制御アドレス設定方法。
【請求項３】
前記制御アドレスを設定するステップの後、
前記制御部から、前記各照明器具に対して、特定の識別情報と、前記制御アドレスを設定するステップで設定された前記制御アドレスとを含む設定信号を送信するステップと、
前記設定信号を受信した前記各照明器具が、前記設定信号に含まれる前記特定の識別情報と、自身の識別情報とが一致している場合は、前記判定信号を、次段の前記照明器具に送信し、前記設定信号に含まれる前記特定の識別情報と、自身の識別情報とが一致している場合は、前記制御アドレスを自身の制御アドレスとして付与するステップと
をさらに含む、請求項１または２に記載の制御アドレス設定方法。
【請求項４】
前記順序情報は、整数の数値からなり、
前記配置順序を把握するステップにおいて、
前記各照明器具が、受信した前記判定信号に含まれる前記特定の識別情報と、自身の識別情報とが一致していないと判定したとき、前記数値を１つ増やして、前記判定信号を、次段の前記照明器具に送信し、
前記各照明器具が、受信した前記判定信号に含まれる前記特定の識別情報と、自身の識別情報とが一致していると判定したとき、前記判定信号を前記制御部に返信する、請求項１に記載の制御アドレス設定方法。
【発明の詳細な説明】
【技術分野】
【０００１】
本発明は、複数の照明器具を制御部で制御する照明制御システムにおいて、各照明器具の制御アドレスを自動で設定する制御アドレス設定方法に関する。
【背景技術】
【０００２】
舞台やスタジオ等において照明演出を行うために、照明空間に複数の照明器具を配置し、各照明器具の調光等を制御部で遠隔制御する照明制御システムがある。
【０００３】
このような照明制御システムでは、制御部に対して、各照明器具が、ＲＤＭ（Remote Device Management）規格に沿った通信方式により、双方向通信可能に直列に接続されている。各照明器具には、予め制御アドレスが設定されており、制御部から、各照明器具に対して、制御アドレスを含む制御信号が送信される。各照明器具は、自身の制御アドレスを示す制御信号を受信したとき、受信した制御信号に従って調光等が制御される。このようにして、照明制御システムは、各照明器具に予め設定された制御アドレスを用いて、各照明器具の調光等を遠隔制御することができる。
【０００４】
特許文献１には、照明制御システムに接続された各照明器具に対して、ＲＤＭ規格に沿った通信システムにより、各照明器具を適切に制御できるような制御アドレス（例えば、連番の制御アドレス）を自動で付与する方法が開示されている。
【先行技術文献】
【特許文献】
【０００５】
【特許文献１】特開２０１６−１５２１７１号公報
【発明の概要】
【発明が解決しようとする課題】
【０００６】
照明空間を、色彩の変化や動き等でダイナミックに演出する場合、照明演出の制御を行う演出データを、パソコン上で作成する場合がある。例えば、屋外に多数の照明器具を配置して照明演出を行う場合、照明器具の配置等をパソコン上で自由に変更できるため、演出データを効率よく作成することができる。この場合、実際の現場で各照明器具を配置する前に、演出データを作成するため、パソコン上で配置した各照明器具に対して、暫定的に制御アドレスが付与される。
【０００７】
一方、実際の現場で各照明器具を配置した後、各照明器具に対して、パソコン上で設定した制御アドレスを付与する必要がある。しかしながら、現場で配置された各照明器具は、パソコン上で配置された各照明器具と品番が同じであっても、個々の照明器具に予め付与された識別番号（ＵＩＤ：Unique Identifier）が異なる場合がある。すなわち、同じ識別番号を有する照明器具の物理配置が異なる場合がある。この場合、パソコン上の照明器具と同じ識別番号を有する照明器具に、パソコン上で設定した制御アドレスを付与すると、パソコン上に配置された各照明器具の制御アドレスと、現場で配置された各照明器具の制御アドレスとが異なってしまう。そのため、現場では、同じ識別番号を有する照明器具を点灯させて、その物理配置を確認しながら、パソコン上で同じ配置にある照明器具の制御アドレスを手動で設定する必要がある。
【０００８】
また、ＲＤＭ規格に沿った通信方式により接続された各照明器具に対して、外部から、各照明器具に制御アドレスを付与することは可能であるが、各照明器具の物理配置まで把握することができない。そのため、物理配置の異なる照明器具に対しては、外部から、制御アドレスの付与を行うことができない。
【０００９】
本発明は、かかる点に鑑みてなされたもので、その主な目的は、現場で配置した各照明器具に対して、パソコン上で配置した各照明器具に対して暫定的に設定した制御アドレスを、自動で設定することができる制御アドレス設定方法を提供することにある。
【課題を解決するための手段】
【００１０】
本発明に係る制御アドレス設定方法は、直列に配置された複数の照明器具を制御部で制御する照明制御システムにおいて、各照明器具の制御アドレスを設定する制御アドレス設定方法であって、制御部が、各照明器具から、各照明器具の識別情報を取得するステップと、制御部から、各照明器具に対して、取得した識別情報のうちの特定の識別情報と、順序情報とを含む判定信号を送信するステップと、制御部が、各照明器具から返信される判定信号に基づいて、各照明器具の配置順序を把握するステップと、制御部が、把握した配置順序に基づいて、各照明器具の制御アドレスを設定するステップとを含む。配置順序を把握するステップにおいて、各照明器具が、受信した判定信号に含まれる特定の識別情報と、自身の識別情報とが一致していないと判定したとき、順序情報における順序を示す指標を１つ増やして、判定信号を次段の照明器具に送信し、各照明器具が、受信した判定信号に含まれる特定の識別情報と、自身の識別情報とが一致していると判定したとき、判定信号を制御部に返信する。
【発明の効果】
【００１１】
本発明によれば、現場で配置した各照明器具に対して、パソコン上で配置した各照明器具に対して暫定的に設定した制御アドレスを、自動で設定することができる。
【図面の簡単な説明】
【００１２】
【図１】本発明の一実施形態における照明制御システムの構成を模式的に示したブロック図である。
【図２】パソコン上に４つの照明器具を直列に接続して配置した場合を示した図である。
【図３】各照明器具に対して暫定的に設定した制御アドレスの例を示したテーブルである。
【図４】実際の現場で４つの照明器具を直列に接続して配置した場合を示した図である。
【図５】本実施形態における制御アドレスの設定方法を示したフローチャートである。
【図６】取得した各照明器具のＵＩＤとチャンネル数を示したテーブルである。
【図７】配置順序を把握するステップの具体的方法を示したフローチャートである。
【図８】配置順序を把握するステップの一例を示した図である。
【図９】各照明器具の配置順序を示したテーブルである。
【図１０】（ａ）は、設定した制御アドレスを示したテーブルで、（ｂ）は、（ａ）に示したテーブルを配置順序に並び替えたテーブルである。
【図１１】各照明器具に制御アドレスを付与するステップの一例を示した図である。
【発明を実施するための形態】
【００１３】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。
【００１４】
図１は、本発明の一実施形態における照明制御システム１の構成を模式的に示したブロック図である。本発明は、図１に示した照明制御システム１において、各照明器具の制御アドレスを自動で設定する方法に関するものである。
【００１５】
図１に示すように、照明制御システム１は、制御部１０と、変換部３０と、複数の照明器具２０Ａ〜２０Ｄを備えている。なお、照明器具の数や種類は任意である。
【００１６】
制御部１０は、例えば、パソコン等で構成され、各照明器具２０Ａ〜２０Ｄに対して制御信号を送信することにより、各照明器具２０Ａ〜２０Ｄの調光等を制御する。さらに、制御部１０は、各照明器具２０Ａ〜２０Ｄとの間で情報の送受信を行う通信機能や、各照明器具２０Ａ〜２０Ｄに関する管理データ（品番、ＵＩＤ、チャンネル数、制御アドレス等）を記憶する記憶機能等を備えている。
【００１７】
各照明器具２０Ａ〜２０Ｄは、変換部３０を介して、制御部１０に、ＲＤＭ規格に沿った通信方式により、双方向通信可能に直列に接続されている。ここで、変換部３０は、制御部１０から出力された制御信号を、ＲＤＭ信号に変換するものである。
【００１８】
照明制御システム１において、制御部１０から、各照明器具２０Ａ〜２０Ｄに対して、制御アドレスを含む制御信号が送信される。各照明器具２０Ａ〜２０Ｄは、自身の制御アドレスを示す制御信号を受信した場合、受信した制御信号に従って調光等が制御される。このように、制御部１０で、各照明器具２０Ａ〜２０Ｄの調光等を遠隔操作することにより、照明演出を制御することができる。
【００１９】
次に、照明演出の制御を行う演出データを、パソコン上で作成する場合を説明する。
【００２０】
図２は、４つの照明器具２０−１〜２０−４を、この順番で直列に接続して配置した場合を示す。ここで、照明器具２０−１、２０−２は、同じ品種（チャンネル数が３）のものとし、照明器具２０−３、２０−４は、別の品種（チャンネル数が５）のものとする。また、各照明器具２０−１〜２０−４に予め付与された識別番号（ＵＩＤ）は、１００、２００、３００、４００とする。
【００２１】
このようにして配置された各照明器具２０−１〜２０−４に対して、暫定的に制御アドレスを設定する。図３は、設定した制御アドレスの例を示したテーブルで、ここでは、各照明器具２０−１〜２０−４の配置順序に従って、１から連続的な数値（１〜３、４〜６、７〜１１、１２〜１６）を設定している。
【００２２】
図４は、実際の現場で、パソコン上で配置した照明器具２０−１、２０−２と同じ品種の照明器具２０Ａ、２０Ｂと、照明器具２０−３、２０−４と同じ品種の照明器具２０Ｃ、２０Ｄを直列に接続して配置した場合を示す。ここでは、照明器具２０Ａ、２０Ｂの各ＵＩＤ、及び照明器具２０Ｃ、２０Ｄの各ＵＩＤは、それぞれ、図２に示した照明器具２０−１、２０−２の各ＵＩＤ、及び照明器具２０−３、２０−４の各ＵＩＤと入れ替わった場合を例示している。すなわち、実際の配置された照明器具２０Ａ〜２０Ｄの物理配置は、図２に示した照明器具２０−１〜２０−４の物理配置と異なっている。
【００２３】
ＲＤＭ規格に沿った通信方式により接続された照明器具２０Ａ〜２０Ｄに対して、外部から、照明器具２０Ａ〜２０Ｄに制御アドレスを付与することは可能であるが、照明器具２０Ａ〜２０Ｄの物理配置まで把握することができない。そのため、物理配置の異なる照明器具２０Ａ〜２０Ｄに対しては、外部から、制御アドレスの付与を行うことができない。
【００２４】
図５は、本実施形態における制御アドレスの設定方法を示したフローチャートである。なお、ここでは、図４に示したように、制御部１０に対して、４つの照明器具２０Ａ〜２０Ｄが直列に配置された照明制御システムを例に説明する。
【００２５】
図５に示すように、制御部１０は、各照明器具２０Ａ〜２０Ｄから、各照明器具２０Ａ〜２０Ｄに予め付与されたＵＩＤ（識別情報）及びチャンネル数を取得する（ステップＳ０１）。具体的には、制御部１０から、各照明器具２０Ａ〜２０Ｄに、ＵＩＤ及びチャンネル数の読み出しを指示する読出信号を送信し、読出信号を受信した各照明器具２０Ａ〜２０Ｄから、自身のＵＩＤ及びチャンネル数を制御部１０に返信する。
【００２６】
図６は、このようにして取得した各照明器具２０Ａ〜２０ＤのＵＩＤとチャンネル数を示したテーブルである。ここでは、照明器具２０Ａ、２０ＢのＵＩＤが、１００、２００で、チャンネル数が３、照明器具２０Ｃ、２０ＤのＵＩＤが、３００、４００で、チャンネル数が５であることを示している。
【００２７】
次に、制御部１０から、各照明器具２０Ａ〜２０Ｄに対して、取得した４つのＵＩＤのうちの特定のＵＩＤと、順序情報とを含む判定信号を送信する（ステップＳ０２）。ここで、特定のＵＩＤとは、４つのＵＩＤ（１００、２００、３００、４００）の内の1つのＵＩＤである。また、順序情報とは、直列に配置された照明器具２０Ａ〜２０の配置順序を示す情報で、例えば、整数の数値を用いることができる。この場合、整数の数値として、例えば、「１」を用いることができる。
【００２８】
次に、制御部１０は、各照明器具２０Ａ〜２０Ｄから返信される判定信号に基づいて、各照明器具２０Ａ〜２０Ｄの配置順序を把握する（ステップＳ０３）。
【００２９】
図７は、配置順序を把握するステップＳ０３の具体的方法を示したフローチャートである。
【００３０】
図７に示すように、照明器具が判定信号を受信すると（ステップＳ１０）、判定信号に含まれるＵＩＤと、自身のＵＩＤとが一致しているかどうかを判定する（ステップＳ１１）。そして、照明器具が、受信した判定信号に含まれるＵＩＤと、自身のＵＩＤとが一致していないと判定したとき（ステップＳ１１でＮｏ）、順序情報における順序を示す指標を１つ増やし（ステップＳ１２）、１つ増やした順序情報を含む判定信号を、次段の照明器具に送信する（ステップＳ１３）。
【００３１】
一方、照明器具が、受信した判定信号に含まれるＵＩＤと、自身のＵＩＤとが一致していると判定したとき（ステップＳ１１でＹｅｓ）、受信した判定信号をそのまま制御部１０に返信する（ステップＳ１４）。
【００３２】
上記フローを、図８を参照しながら具体的に説明する。
【００３３】
図８に示すように、例えば、制御部１０が、ＵＩＤが４００で、順序情報（整数の数値）が「１」からなる判定信号を送信した場合、先頭に配置された照明器具２０Ａは、判定信号に含まれるＵＩＤ（４００）と、自身のＵＩＤ（２００）とが一致しているかどうかを判定する（ステップＳ１１）。この例では、判定信号に含まれるＵＩＤ（４００）と、自身のＵＩＤ（２００）とが一致していないと判定されるので、照明器具２０Ａは、判定信号の順序情報（数値「１」）を１つ増やし（ステップＳ１２）、ＵＩＤが４００で、順序情報が数値「２」からなる判定信号を、次段の照明器具２０Ｂに送信する（ステップＳ１３）。
【００３４】
次段の照明器具２０Ｂは、判定信号に含まれるＵＩＤ（４００）と、自身のＵＩＤ（１００）とが一致しているかどうかを判定する（ステップＳ１１）。この例では、判定信号に含まれるＵＩＤ（４００）と、自身のＵＩＤ（１００）とが一致していないと判定されるので、照明器具２０Ｂは、判定信号の順序情報（数値「２」）を１つ増やして（ステップＳ１２）、ＵＩＤが４００で、順序情報が数値「３」からなる判定信号を、次段の照明器具２０Ｃに送信する（ステップＳ１３）。
【００３５】
次段の照明器具２０Ｃは、判定信号に含まれるＵＩＤ（４００）と、自身のＵＩＤ（４００）とが一致しているかどうかを判定する（ステップＳ１１）。この例では、判定信号に含まれるＵＩＤ（４００）と、自身のＵＩＤ（４００）とが一致していると判定されるので、照明器具２０Ｃは、受信した判定信号（ＵＩＤが４００、順序情報が数値「３」）を、制御部１０に返信する（ステップＳ１４）。
【００３６】
これにより、制御部１０は、照明器具２０Ｃから返信された判定信号（ＵＩＤが４００、順序情報が数値「３」）に基づいて、ＵＩＤが４００の照明器具２０Ｃの配置順序が、３番目であることを把握することができる（ステップＳ０３）。
【００３７】
同様の方法により、制御部１０から、ＵＩＤが１００、２００、３００、及び順序情報を含む判定信号を各照明器具に送信することによって、全てのＵＩＤにおける照明器具２０Ａ〜２０Ｄの配置順序を把握することができる。
【００３８】
図９は、このようにして把握された各照明器具２０Ａ〜２０Ｄの配置順序を示したテーブルである。ここでは、図４に示すとおり、ＵＩＤ１００の照明器具２０Ｂが２番目、ＵＩＤ２００の照明器具２０Ａが１番目、ＵＩＤ３００の照明器具２０Ｄが４番目、ＵＩＤ４００の照明器具２０Ｃが３番目であることを示している。
【００３９】
このように、本実施形態では、制御部１０から、各照明器具２０Ａ〜２０Ｄに対して、特定の識別情報（ＵＩＤ）と順序情報とを含む判定信号を送信し、各照明器具２０Ａ〜２０Ｄから制御部１０に返信される判定信号に基づいて、各照明器具２０Ａ〜２０Ｄの配置順序を把握することができる。
【００４０】
図５のフローチャートに戻り、制御部１０は、ステップＳ０３で把握した配置順序に基づいて、各照明器具２０Ａ〜２０Ｄの制御アドレスを設定する（ステップＳ０４）。なお、制御アドレスの設定は、図３に示したように、パソコン上で暫定的に制御アドレスを設定した方法と同じ方法に従って設定する。すなわち、照明器具２０Ａ〜２０Ｄの配置順序に従って、１から連続的な数値（１〜３、４〜６、７〜１１、１２〜１６）を設定する。
【００４１】
図１０（ａ）は、このようにして設定した制御アドレスを示したテーブルである。また、図１０（ｂ）は、図１０（ａ）に示したテーブルを、配置順序に並び替えたテーブルである。図１０（ｂ）に示すように、現場で配置した照明器具２０Ａ〜２０Ｄに対して設定された制御アドレスは、図３に示したように、パソコン上で配置した照明器具２０−１〜２０−４に対して設定された制御アドレスと一致する。
【００４２】
次に、図５に示すように、制御部１０から、各照明器具２０Ａ〜２０Ｄに対して、特定のＵＩＤ（識別情報）と、ステップＳ０４で設定された制御アドレスとを含む設定信号を送信する（ステップＳ０５）。設定信号を受信した各照明器具２０Ａ〜２０Ｄは、設定信号に含まれる特定のＵＩＤと、自身のＵＩＤとが一致していない場合は、設定信号を次段の照明器具に送信し、設定信号に含まれる特定のＵＩＤと、自身のＵＩＤとが一致している場合は、設定信号に含まれる制御アドレスを自身の制御アドレスとして付与する（ステップＳ０６）。
【００４３】
上記フローを、図１１を参照しながら具体的に説明する。
【００４４】
図１１に示すように、例えば、制御部１０が、ＵＩＤが４００で、制御アドレスが７〜１１からなる設定信号を送信した場合、先頭に配置された照明器具２０Ａは、設定信号に含まれるＵＩＤ（４００）と、自身のＵＩＤ（２００）とが一致しているかどうかを判定する。この例では、設定信号に含まれるＵＩＤ（４００）と、自身のＵＩＤ（２００）とが一致していないので、照明器具２０Ａは、受信した設定信号を、そのまま次段の照明器具２０Ｂに送信する。
【００４５】
次段の照明器具２０Ｂも、設定信号に含まれるＵＩＤ（４００）と、自身のＵＩＤ（１００）とが一致していないので、受信した設定信号を、そのまま次段の照明器具２０Ｃに送信する。
【００４６】
次段の照明器具２０Ｃは、設定信号に含まれるＵＩＤ（４００）と、自身のＵＩＤ（４００）とが一致しているので、受信した設定信号に含まれる制御アドレス７〜１１を、自身の制御アドレスとして付与する。
【００４７】
同様の方法により、制御部１０から、ＵＩＤが１００、２００、３００、及び各ＵＩＤに対して設定された制御アドレスを含む設定信号を各照明器具２０Ａ〜２０Ｄに送信することによって、各照明器具２０Ａ〜２０Ｄに、自身の制御アドレスを付与することができる。
【００４８】
これにより、制御部１０から、各照明器具２０Ａ〜２０Ｄに対して、制御アドレスを含む制御信号が送信されると、各照明器具２０Ａ〜２０Ｄは、自身の制御アドレスを示す制御信号を受信した場合、受信した制御信号に従って調光等が制御される。
【００４９】
以上、説明したように、本実施形態では、現場で配置した各照明器具２０Ａ〜２０Ｄに対して、パソコン上で配置した各照明器具２０−１〜２０−４に対して暫定的に設定した制御アドレスと同じ制御アドレスを自動で設定することができる。
【００５０】
以上、本発明を好適な実施形態により説明してきたが、こうした記述は限定事項ではなく、もちろん、種々の改変が可能である。例えば、上記実施形態では、図１に示したように、制御部１０に対して、各照明器具２０Ａ〜２０Ｄを直列に配置して接続したが、この配列とは別系統で、複数の照明器具が直列に接続されていてもよい。この場合も、本発明の方法を用いて、別系等の各照明器具に対して、パソコン上で配置した各照明器具に対して暫定的に設定した制御アドレスと同じ制御アドレスを自動で設定することができる。
【符号の説明】
【００５１】
１      照明制御システム 
１０      制御部 
２０      照明器具 
３０      変換部 
【図１】
2020191242.tif 000003
【図２】
2020191242.tif 000004
【図３】
2020191242.tif 000005
【図４】
2020191242.tif 000006
【図５】
2020191242.tif 000007
【図６】
2020191242.tif 000008
【図７】
2020191242.tif 000009
【図８】
2020191242.tif 000010
【図９】
2020191242.tif 000011
【図１０】
2020191242.tif 000012
【図１１】
2020191242.tif 000013